(57)【特許請求の範囲】
【請求項１】
躯体間隙をスライド移動自在に支持されたカバー体で閉鎖するエキスパンションジョイントにおいて、
一側の躯体上面角部に設けられていて間隙に面した側が開口し且つ間隙とは反対側が傾斜面を介して躯体上面に連なった凹部と、
この凹部上に一端をスライド移動自在に重ね、他端を他側の躯体で間隙高さ方向へ変位自在に支持させて取り付けられたカバー体と、
一端を前記一側の躯体の凹部上にスライド移動自在に重ね、他端を間隙内に突出させて前記カバー体の下面に重合させたパネル体と、
一端が回転軸を間隙奥行き方向へ向けた支軸を介して前記間隙内に突出したパネル体の端部に連結された支持部材を間隙内で回動自在に支持してなるパネル可動機構と、
を備えて構成されたことを特徴とするエキスパンションジョイント。
【発明の詳細な説明】
【０００１】
【発明の属する技術分野】
本発明は、躯体間隙をスライド移動自在に支持されたカバー体で閉鎖し、躯体の変動に伴ってカバー体が相対変位することにより変動を吸収するエキスパンションジョイントに関する。
【０００２】
【従来の技術】
従来のエキスパンションジョイントとして、図８に示されるように、間隙Ｇを介在させて対向する躯体Ａと躯体Ｂの上面角部にカバー体Ｃの厚み分だけ上面を凹ませた凹部Ａ１、Ｂ１をそれぞれ設け、凹部Ａ１でカバー体Ｃの端部を間隙高さ方向（以下、Ｚ方向という）へ変位自在に支持し、凹部Ｂ１でカバー体Ｃの他端部を間隙幅方向（以下、Ｘ方向という）へスライド移動自在に支持した構造のものが知られている。このエキスパンションジョイントは、地震等によって両躯体のＸ方向への変動が生じた場合に、間隙Ｇが広がったときは凹部Ｂ１上をカバー体Ｃの端部がスライド移動して変動を吸収し、間隙Ｇが狭まったときはカバー体Ｃの端部が凹部Ｂ１を乗り越え、さらに躯体Ｂの上面をスライド移動して変動を吸収するように構成されている（特許文献１参照）。
【０００３】
【特許文献１】
特開２０００−３２８６７４号公報
【０００４】
【発明が解決しようとする課題】
カバー体Ｃの片側を一方の躯体Ａに固定し、他側を他方の躯体Ｂ上をスライドさせる構造のエキスパンションジョイントでは、間隙ＧがＸ方向に沿って広がったときのカバー体Ｃの可動量が、躯体Ｂに対するカバー体Ｃの乗り代である、凹部Ｂ１の幅（図８中符号Ｗ）で特定され、カバー体Ｃは間隙Ｇと凹部Ｂ１に覆い被さる幅に形成する必要がある。そのため、可動量を大きく設定するほどカバー体Ｃが大型化してエキスパンションジョイント全体の取り付け寸法が大きくなり、間隙Ｇを挟んだ出隅や入隅の取り合い部分や、間隙Ｇの周辺に柱やその他の構造物がある場所など、エキスパンションジョイントの取り付け寸法が制限される場所には利用することができなかった。
【０００５】
本発明は従来技術の有するこのような問題点に鑑み、カバー体を大型化することなく大きな可動量が得られるようにエキスパンションジョイントを構成し、出隅や入隅の取り合い部分など取り付け寸法上の制約を受ける場所にも従来例で示した構造のエキスパンションジョイントを利用できるようにすることを課題とする。
【０００６】
【課題を解決するための手段】
図８に示したエキスパンションジョイントにおいて、躯体Ｂの凹部Ｂ１及びカバー体Ｃの幅を広げずにＸ方向の可動量を大きくする手段として、躯体Ｂの側部から間隙内にカバー体Ｃの下面を支持するパネル体を水平に突出させることが考えられる。しかし、これでは、間隙Ｇが狭まったときに躯体Ｂから間隙内に突出したパネル体に躯体Ａが衝突し、躯体の変動を吸収する妨げとなる。
【０００７】
【課題を解決するための手段】
そこで本発明は、躯体間隙をスライド移動自在に支持されたカバー体で閉鎖するエキスパンションジョイントにおいて、一側の躯体上面角部に設けられていて間隙に面した側が開口し且つ間隙とは反対側が傾斜面を介して躯体上面に連なった凹部と、この凹部上に一端をスライド移動自在に重ね、他端を他側の躯体で間隙高さ方向へ変位自在に支持させて取り付けられたカバー体と、一端を前記一側の躯体の凹部上にスライド移動自在に重ね、他端を間隙内に突出させて前記カバー体の下面に重合させたパネル体と、一端が回転軸を間隙奥行き方向（以下、Ｙ方向という）へ向けた支軸を介して前記間隙内に突出したパネル体の端部に連結された支持部材を間隙内で回動自在に支持してなるパネル可動機構と、を備えて構成した。
【００１１】
本発明のエキスパンションジョイントによれば、躯体がＸ方向に変動し、間隙が広がったときは、間隙内に張り出したパネル体上面をカバー体がスライド移動して変動を吸収する。他方、躯体が間隙を狭める向きに変動するときは、間隙内に張り出していたパネル体が一側の躯体方向へ移動するため変動を吸収する妨げとはならず、このパネル体の移動とカバー体の躯体上面に沿ったスライド移動によって変動を吸収し、間隙の伸縮に対応する。間隙幅を狭める躯体の変動に伴って、カバー体とパネル体が一側の躯体上面に乗り上がるように構成すれば、Ｘ方向の可動量をより大きく設定することが可能となる。
【００１２】
【発明の実施の形態】
本発明の好適な実施の形態を図面を参照して説明する。
図１〜図５に示された形態は、入隅や出隅の取り合い部分の間隙Ｇに設置したものであり、このエキスパンションジョイントは、間隙Ｇを挟んで相対する躯体Ａ、Ｂに架け渡したカバー体１と、カバー体１の下面に重合させて躯体Ｂから間隙Ｇ内に突出させたパネル体２と、このパネル体２を間隙Ｇ内で可動自在に支持するパネル可動機構３とを備えて構成されている。
【００１３】
躯体Ａは、間隙Ｇと接する鉛直壁面が躯体Ｂよりも高く上方に伸びており、その側壁４にカバー体１の端部を支持するＬ字形の支持金具４１をロックボルトなどで固着してある。
【００１４】
躯体Ｂは、躯体Ａと平行に立設し、躯体Ａの側壁４と間隙Ｇを介して交差する上面５の角部に、間隙Ｇに面した側が開口していてその反対側が傾斜面６を介して上面５に連なった凹部７を形成してある。この凹部７は、上面５からカバー体１の厚みと略等しい深さだけ平坦に凹ませてなり、その表面を鋼製のガイド板７１で被覆してある。また、間隙Ｇと接する躯体Ｂの側壁８には、後述のパネル可動機構３が取り付けてある。
【００１５】
カバー体１は、間隙Ｇよりも幅広の矩形板状に形成されており、片側の端部を躯体Ａの壁面に固定し、他側の端部を躯体Ｂに形成された前記凹部７上に載せてＸ方向へスライド移動可能に支持して取り付けてある。
詳しくは、カバー体１の躯体Ａ側の端部１１は、その下面に突設させたカバー体１の厚みの略２倍の長さの支持杆１１ａを前記支持金具４１の上面内に形成された開口４１ａに貫通させて当該支持金具上面に載せられており、支持官１１ａと支持金具４１が係合を維持する高さまで側壁４に沿ってＺ方向へ変位し得るように設置してある。また、カバー体１の躯体Ｂ側の端部１２は、前記凹部７の傾斜面６に接合可能なように傾斜させてあり、その下面を凹部７に載せて当該凹部上をスライド移動し得るように設置してある。傾斜端部１２の上縁には、傾斜面６との隙間を覆う目地片１２ａが水平に突出させてある。図１に示されるように、カバー体１は、躯体Ａ、Ｂにその両端部を支持させた状態で、躯体Ｂの上面５と面一となって躯体Ｂの上縁から躯体Ａの側壁４に亘って水平に維持され、間隙Ｇ全体を覆ってその上面を閉鎖する。
【００１６】
パネル体２は、カバー体１の幅の略２／３程度の幅を有する矩形板状に形成されており、その一側の端部２１を凹部７の上面に載せ、他側の端部２２を躯体Ｂから間隙Ｇ内に水平に突出させて、カバー体１の下面に重ねて取り付けてある。
詳しくは、パネル体２の端部２１は凹部７の上面に沿ってスライド移動可能に支持され、端部２２は後述するパネル可動機構３の支持部材３３の端部に連結されている。前記端部２１の下面には突起２１ａ、２１ａが突設されており、これら突起が凹部７の表面に設けた段部７２に係合することにより、パネル体２が躯体Ａ側へスライド移動するのを規制してパネル体２を当該係合位置に保持するようになっている（図３参照）。
【００１７】
パネル可動機構３は、間隙Ｇ内に取り付けられた基部３１に支軸３２を介して支持部材３３の端部３３ａを回動自在に連結し、この支持部材３２の他端部３３ｂに支軸３４を介してパネル体２の端部２２を回動自在に連結して、両支軸廻りに支持部材３３の両端部がそれぞれ回動するのに伴ってパネル体２の端部２２をＸ方向及びＺ方向へ可動せしめるように構成してある。
【００１８】
詳しくは、基部３１は、躯体Ｂの側壁８にロックボルトなどで固着されており、その上部に設けられた躯体Ａ側に傾斜したテーパ面部３１ａと側壁８との間で回転軸をＹ方向に向けた支軸３２を軸支している。支持部材３３はその一側の端部３２ａを支軸３２に枢着して当該支軸を支点として回動し得るように取り付けてあり、他側の端部３３ｂを支軸３２と平行に回転軸をＹ方向へ向けた支軸３４を介してパネル体２の端部２２と当該支軸廻りに互いに回動し得るように連結してある。また、支持部材３３の両端部間の寸法、つまり支軸３２と支軸３４の中心間の距離（図１中符号Ｄ１）は、側壁８に沿った支軸３２の中心から躯体Ｂの上面５までの距離（図１中符号Ｄ２）と略同じに設定してある。
【００１９】
そして、支軸３２を支点として支持部材３３を間隙Ｇ側に最も回動した位置では、支持部材３３はテーパ面部３１ａに当接して側壁８に対して所定の角度を持って傾倒した位置に保持され、また、端部３３ｂに軸支された支軸３４は間隙Ｇ内に張り出し、この支軸３４に端部２２が枢着されたパネル体２は他端部２１を凹部７に載せて水平に保持されるようになっている（図１参照）。
この位置から支持部材３３が躯体Ｂ側へ回動してゆくと、支軸３２を支点として支持部材３３の端部３３ｂが間隙Ｇ内を円運動する軌跡に沿って支軸３４が旋回し、この支軸３４に枢着されたパネル体２の端部２２が回動しながら同じ軌跡に沿って旋回するのに伴ってパネル体２の他端部２１は凹部７の上面に沿って躯体Ｂ側へスライド移動し、支持部材３３が躯体Ｂ側に最も回動した位置では、支持部材３３は側壁８に当接して支軸３２の上方に鉛直に起立し、支持部材３３の端部３３ｂが躯体Ｂの上面５と同じ高さとなり、凹部７を乗り越えたパネル体２が上面５に重なる位置に到るようになっている（図４参照）。
【００２０】
本形態のエキスパンションジョイントは上述のように構成されており、躯体Ａ、Ｂに取り付けた状態では、図１に示されるように、パネル体２はその両端部が凹部７と支持部材３３でそれぞれ支持されて躯体Ｂから間隙Ｇ内に水平に張り出し、その上面に、躯体Ａ、Ｂに水平に架け渡されたカバー体１が重なって間隙Ｇを閉鎖する。
【００２１】
地震などによって躯体Ａ、ＢがＸ方向に変動して間隙Ｇが広がった場合、図２に示されるように、両躯体の変動に伴ってカバー体１がパネル２の上面をＸ方向へスライド移動して変動を吸収する。このとき、図３に示されるように、パネル体２の端部２１下面に設けた突起２１ａ、２１ａが凹部７表面に設けた段部７２に係合するため、カバー体１のみがスライド移動し、パネル体２は係合位置に保持される。
【００２２】
他方、躯体Ａ、ＢがＸ方向に変動して間隙Ｇが狭まった場合、図４に示されるように、両躯体の変動に伴ってカバー体１とパネル体２とが躯体Ｂの上面５に乗り上げ、同面上をＸ方向へスライド移動して変動を吸収する。
すなわち、間隙Ｇを狭める方向に躯体の変動が起きると、図５（ア）に示されるように、先ず、カバー体１の傾斜端部１２が凹部７の斜面６に衝当し、同端部が斜面６に沿って上方へ変位するのに対応して他端部１２が支持金具４１から徐々に浮き上がり、躯体Ｂの上面５にカバー体１が乗り上がる。
さらに変動が進んで間隙Ｇが狭まると、間隙Ｇ内に張り出していた支持部材３３の端部３３ｂに躯体Ａ或いは支持金具４１が衝当して同部材を躯体Ｂ側へ押動せしめる。
すると、同図（イ）に示されるように、支持部材３３は支軸３２を支点として回動し、その端部３３ｂが円運動する軌跡に沿って支軸３４が旋回するのに伴って凹部７の上面に支持されたパネル体２の端部２１が同面上をスライド移動し、さらに斜面６に沿って上方へ変位して凹部７を乗り越え、カバー体１の下面と躯体Ｂの上面５の間に入り込んで両面に重合しつつ両面間をスライド移動して変動を吸収する。
【００２３】
このように本形態のエキスパンションジョイントは、間隙Ｇ内にパネル可動機構３を設け、間隙Ｇの幅が広がる向きの変動に対してはパネル可動機構３によって間隙Ｇ内に支持されたパネル体２上をカバー体１がスライド移動して対応し、間隙Ｇの幅が狭まる向きの変動に対しては躯体Ａがパネル可動機構３を押動するのに連動して間隙Ｇ内に支持されていたパネル体２を躯体Ｂ側へ移動せしめるとともに、躯体Ｂの上面５に乗り上げたカバー体１の下側に収めて対応するように構成されているから、同寸のカバー体を用いて構成した従来のものよりもＸ方向の可動量を大きく設けることができる。
従って、可動量を大きくとる場合に大型のカバー体を用いる必要があった、カバー体の片側を固定し他側をスライド移動自在に支持した構造のエキスパンションジョイントをコンパクトに構成し、全体の取り付け寸法を小さくすることができる。
また、出隅や入隅の取り合い部分や間隙Ｇの周辺に柱やその他の構造物がある場所などでは、必要な可動量に設定する一方、小さな取り付け寸法でエキスパンションジョイントを設置することができる。
【００２４】
図６は出隅の取り合い部分に、図７は入隅の取り合い部分にそれぞれ前記形態のエキスパンションジョイントを取り付けた状態を示している。
両図（ア）に示されるように、間隙Ｇを介して取り合う躯体Ａと躯体Ｂにカバー体１が架け渡され、カバー体１の一側の端部１１は躯体Ａの壁面にＺ方向へ変位自在に固定され、カバー体１の他端１２は躯体Ｂの上面でスライド自在に支持されている。パネル体２は一側の端部２１が躯体Ｂの上面でスライド自在に支持され、他端部２２を間隙Ｇ内に張り出してカバー体１の下面に重合させてある。間隙Ｇに接する躯体Ｂの側壁８にはパネル可動機構３が取り付けられ、支軸３２を支点として回動する支持部材３３の端部３３ｂに支軸３４を介してパネル体２の端部２２が回動自在に連結されている。
そして、躯体Ａ、Ｂが変動し、間隙Ｇの幅がＸ方向に沿って広がったときは、両図（イ）に示されるように、同方向の変動に対応してカバー体１がパネル体２の上面をスライド移動して変動を吸収し、間隙Ｇの幅がＸ方向に沿って狭まったときは、両図（ウ）に示されるように、躯体Ａが支持部材３３を押動するのに連動してパネル体２が躯体Ｂ側に移動し、カバー体１とパネル体２がともに躯体Ｂの上面５をスライド移動して変動を吸収するようになっている。
【００２５】
また、本形態のエキスパンションジョイントによれば、カバー体１の可動量は、パネル体２の幅、支持部材の幅（Ｄ１）、躯体Ｂの上面から支軸３２までの距離（Ｄ２）などを適宜に選定することによって調節可能であり、取り付け場所によって可動量が異なる場合でも同寸法のカバー体１を用いることができる。
【００２６】
なお、図では、カバー体の片側を固定し他側をスライド移動自在に支持した構造の形態を示したが、本発明はカバー体の両側をスライド自在に支持した構造のものなど様々な形態のエキスパンションジョイントに適用され得るものである。また、図示したパネル可動機構では、間隙内に張り出したパネル体の端部に支持部材を連結したが、前記端部よりも内方のパネル体の下面に連結してもよい。パネル可動機構は一例であり、他の適宜な形態に設けることができる。本発明にさらに躯体のＹ方向、Ｚ方向の変動を吸収する機能を具備してエキスパンションジョイントを構成することは適宜行われる。
【００２７】
【発明の効果】
本発明によれば、カバー体を大型化することなく大きな可動量を得ることができ、必要な可動量を備えたエキスパンションジョイントをコンパクトに構成して、全体の取り付け寸法を小さくすることができる。従って、出隅や入隅、構造物のある場所、その他取り付け寸法上の制約がある場所であっても、大きな可動量を確保してエキスパンションジョイントを取り付けることができる。
【図面の簡単な説明】
【図１】本発明の一実施形態のエキスパンションジョイントの側断面図である。
【図２】間隙幅が広がる方向へ躯体が変動した場合の、図１のエキスパンションジョイントの側断面図である。
【図３】図１のエキスパンションジョイントのパネル体と凹部上面との係合部を拡大断面図である。
【図４】間隙幅が狭まる方向へ躯体が変動した場合の、図１のエキスパンションジョイントの側断面図である。
【図５】（ア）、（イ）は間隙幅が狭まる方向へ躯体が変動する過程でカバー体とパネル体が位する状態を説明するための図である。
【図６】（ア）〜（ウ）は本発明の一実施形態のエキスパンションジョイントを出隅の取り合い部分に取り付けた状態及び変動した状態を示した要部断面拡大外観図である。
【図７】（ア）〜（ウ）は本発明の一実施形態のエキスパンションジョイントを入隅の取り合い部分に取り付けた状態及び変動した状態を示した要部断面拡大外観図である。
【図８】従来の一例のエキスパンションジョイントの側断面図である。
【符号の説明】
Ａ  躯体、Ｂ  躯体、Ｇ  間隙、１  カバー体、２  パネル体、３  パネル可動機構、３１  基部、３２  支軸、３３  支持部材、３４  支軸、４  躯体Ａの側壁、５  躯体Ｂの上面、６  傾斜面、７  凹部、８  躯体Ｂの側壁
【図１】
0003691478.tif 000002
【図２】
0003691478.tif 000003
【図３】
0003691478.tif 000004
【図４】
0003691478.tif 000005
【図５】
0003691478.tif 000006
【図６】
0003691478.tif 000007
【図７】
0003691478.tif 000008
【図８】
0003691478.tif 000009